Podtech/llm-jp-corpus-v4-ja_patent huggingface dataset:
(57)【要約】      （修正有）【課題】円の外径寸法と共に、内径および円の直径寸法も測定できる様に先端部の金具を円形にした万能巻尺を提供する。【解決手段】巻尺本体３の片方を円形状にして巻尺の先端部にも円形の金具を設ける。巻尺の先端金具を取り付けることにより内径、円の直径の寸法が測定可能である。先端には片手で持てるように押え金具を設ける。内径、円の直径の寸法は金具の先端から本体の後部までが寸法である。読み取りは本体の前部で読み取れるように目盛り板を設定し、また本体には高さを測るために目盛り板を固定する装置を付けて構成する。【選択図】図２
0003156626.tif 000002
【実用新案登録請求の範囲】
【請求項１】
巻尺の先端金具を円形状にして、長時間使用しても変形しないように中間に折り目を作り、内径および円の直径を測定する際に片手で押さえられ、高さを測定する際先端金具を固定するように針金を設けた先端金具。
【考案の詳細な説明】
【技術の分野】
【０００１】本考案は、外径は従来どおりで内径および円の直径を巻尺本体以上の寸法であれば測定できるように考案されたものである。
【背景技術】
【０００２】従来の巻尺は、外径は正確に測れても内径および円の直径は目算であったがゆえ、何回か測り直さなければ正確な寸法が出ないため、手間が掛かって不便であった。
【考案の開示】
【考案が解決しようとする課題】
【０００３】従来の巻尺は、外径寸法は正確に測定可能であっても内径および円の直径は目算であったがゆえ、何回か測定しなければ正確な寸法は測れなかった。この巻尺は本体の片方を円形状にして巻尺の先端部にも円形の金具を設けたため、巻尺本体以上の寸法であれば正確に１回で測定可能である。また先端部には押え金具が付いているので便利である。押え金具は高さを測定するとき、金具をロックできるように工夫されているので大変便利である。
【課題を解決するための手段】
【０００４】この課題を解決するための請求項１は巻尺の先端金具（図１）を取り付けることにより内径、円の直径の寸法が測定可能である。先端には片手で持てるように押え金具付きである。内径、円の直径の寸法は金具の先端から本体の後部までが寸法である。読み取りは本体の前部で読み取れるように目盛り板を設定し、また本体には高さを測るために目盛り板を固定する装置が付いている。
【考案の効果】
【０００５】よって本考案の巻尺を使用すると外径は従来どおり、なおかつ巻尺本体以上の内径、円の直径また高さの寸法が用意に測定できるため非常に便利である。
【本考案を実施するための最良の形態】
【０００６】本考案は目盛り板の長さに応じて巻尺本体の大きさも変わるが、先端金具はすべて共通できる。巻尺本体後部の曲がりは本体の大きさに合わせた曲線で良い。
材料は樹脂で形成が容易で大量生産はもちろん色彩も数が多く好みの色を選択することが可能である。
【図面の簡単な説明】
【０００７】
【図１】本考案を全面上部から見た先端金具の図である。
【図２】図１の先端金具を巻尺に取り付け上部から見た図である。
【図３】図２を横から見て押さえ金具を立てた図である。
【符号の説明】
【０００８】１    先端金具
２    目盛り板固定ハンドル
３    巻尺本体
４    押さえ金具
【図１】
0003156626.tif 000003
【図２】
0003156626.tif 000004
【図３】
0003156626.tif 000005
(57)【要約】      （修正有）【課題】葬祭の準備の手間を軽減し、大量に生ずる排水を削減する葬祭用花器を提供する。【解決手段】生花の位置決めを容易にするための生花１本を保持可能な大きさである略半円形の窪みを等間隔に複数形成した位置決め板と、その位置決め板により位置決めされた生花に最小限の水を供給するための扁平容器と、扁平容器を複数装着可能なスタンドによって構成した。【選択図】図２
0003156628.tif 000002
【実用新案登録請求の範囲】
【請求項１】
生花１本を保持可能な大きさである略半円形の窪みを等間隔に複数形成した位置決め板と、位置決め板を装着可能な扁平容器と、扁平容器を複数装着可能なスタンドによって構成した葬祭用花器。
【考案の詳細な説明】
【技術分野】
【０００１】本考案は、葬祭に使用する祭壇を飾る菊花を生けるために使用する葬祭用花器に関するものである。
【背景技術】
【０００２】葬祭を執り行うために設置する祭壇はその両側を整然と並んだ菊花で飾ることが多い。この菊花には一般に生花を用いるが、生花は水を湛えた容器に生けて、葬祭終了までその新鮮さを保つ必要がある。この容器として、専用に開発されたものは市販されておらず、汎用のコンテナボックスやバケツが流用され、その中にパイプ洗浄用のブラシを複数立てて固定したスペーサーを設置し、それに菊花を生けていた。菊花は４方向から突き出しているブラシの毛によって柔らかに固定され、容器に入れた水により新鮮さが保たれていた。
【考案の概要】
【考案が解決しようとする課題】
【０００３】しかし、このような従来の方法では、１５リットル程度のコンテナボックス等を使わざるを得ず、大量の水が必要になると共に、水を入れたコンテナボックス等は重いためにその設置が大変な重労働になっていた。さらに、ブラシによるソフトな固定であるために生ずる菊花の位置の高い自由度により、菊花を整然と垂直且つ等間隔に並べるには熟練の技術が必要で、臨時雇いの作業者に任せることができず、熟練作業者に作業が集中する問題があった。また、菊花を冷蔵庫に入れて保管する際には、一般的な斎場の冷蔵庫にはコンテナごと収納できないので、菊花を全て抜き取り、水を張ったバケツ等に移して保管するが、そのためにまた一から菊花の設置をし直さなければならないという問題があった。本考案は、このような葬祭の準備の手間を軽減し、大量に生ずる排水を削減するところにある。
【課題を解決するための手段】
【０００４】本考案は、生花の位置決めを容易にするための生花１本を保持可能な大きさである略半円形の窪みを等間隔に複数形成した位置決め板と、その位置決め板により位置決めされた生花に最小限の水を供給するための扁平容器と、扁平容器を複数装着可能なスタンドによって構成した葬祭用花器であることを特徴とする。
【考案の効果】
【０００５】本考案の葬祭用花器は、略半円形の窪みを形成した位置決め板により生花の位置を決めるように構成したから、窪みと扁平容器により形成される穴に一本一本の生花を投げ入れるだけで、誰がやっても簡単に正確に生花を並べることができる。さらに、位置決め板と扁平容器を別に作って、組み合わせて使用するように構成したから、位置決め板も扁平容器も洗いやすく、様々な寸法を組み合わせることによって、容易にバリエーションを増やすことができる。さらに、扁平容器に水を蓄えるようにしたから生花の維持に必要な必要最小限の水で生花を新鮮に保つことができ、必要な水や排水を削減できるとともに、水を入れても扁平要否は軽く、容易に移動設置できる。また、扁平容器は場所をとらないから、一般的な斎場の冷蔵庫に、生花をセットしたまま収容できて、設置や保管作業の労力を大幅に低減できる。さらに、扁平容器を専用のスタンドに立てて陳列することとしたから、扁平容器の配置の自由度が高く、それぞれを片付けるときにも場所をとらない。
【図面の簡単な説明】
【０００６】
【図１】扁平容器、位置決め板、及びスタンドのイメージ図である。
【図２】組み立てた葬祭用花器のイメージ図である。
【図３】コンパクトに冷蔵庫に片付けるためのスタンドのイメージ図である。
【考案を実施するための形態】
【実施例】
【０００７】図１は、本考案の葬祭用花器である。一般的な斎場に使用する葬祭用花器は、成形が容易で、強度が強く、さびを生じないガラス繊維強化プラスチック（以下「ＦＲＰ」と呼ぶ）で作成すれば好ましい。扁平容器は、幅４０ｃｍ、高さ１５ｃｍ、奥行き２．５ｃｍで上部をやや絞って１２ｍｍ開口させた容器を厚さ３ｍｍほどのＦＲＰで成形する（図１，１）。位置決め板は、同じく厚さ３ｍｍほどのＦＲＰで成形した幅３９．４ｃｍ、高さ１０ｃｍの板状の部材で、１５ｃｍ間隔で、半径１０ｍｍ程度の半円形の窪みを形成してある。また、上部を２０ｍｍ直角に折り返してある。（図１，２）。スタンドは同じく厚さ３ｍｍほどのＦＲＰで成型したの板状部材で、上部に扁平容器を装着可能な５つの溝を切ってある。また、下部を１５ｃｍ直角に折り返してあり、対称形の２枚一組で使用する（図１，３Ａ及びＢ）。なお、ＦＲＰの成型は木型に離型剤を塗り、グラスファイバーシートと不飽和ポリエステル樹脂を塗り重ねる汎用的な方法で行った。【０００８】図２は、組み立てた状態を表す。葬祭用の祭壇は左右に階段状の構造物が設置してあるので、その階段状構造物に必要個数の葬祭用花器を並べ、位置決め板の窪みと扁平容器の壁面で構成される略半円形の空間に菊花を挿入すればば、見た目は従来と変わらない整列した菊花を容易に構成できる。【０００９】図３は、水を入れ、菊花を挿したまま前後に５個（計１０個）の扁平容器を斜めに装着して、コンパクトに冷蔵庫に片付けるためのスタンドを示す。扁平容器は開口部を絞ってあるから斜めにしても水がこぼれないし、水を含めても１ｋｇ程度と軽量だから、１０個をまとめても容易に持ち運ぶことができる。
【符号の説明】
【００１０】１        扁平容器
２        位置決め板
３Ａ，Ｂ  スタンド
【図１】
0003156628.tif 000003
【図２】
0003156628.tif 000004
【図３】
0003156628.tif 000005
(57)【要約】      （修正有）【課題】人間のキャラクタを作り、情報技術を利用し、人間の気配を察知し、キャラクタに簡単な言葉を話せるようにするロボットを提供する。【解決手段】シリコンでマネキンを作り、マネキンに音声合成システム、人感センサー、カメラ等を組み込み、人間味が溢れる挨拶及び案内用ロボットを製作する。マネキンの半径１ｍ（モードの設定により違う）以内の人の動きを感知し、簡単な挨拶とか内容ができるようにする。尚、季節変わりや企業の内容によっていろいろなバージョンに変えることができる。【選択図】図１
0003156621.tif 000002
【実用新案登録請求の範囲】
【請求項１】
マネキンに音声合成システム、人感センサー、カメラ等を組み込み、キャラクタを作ること。
【請求項２】
上述のキャラクタを中小企業に受付用で販売及びリース、レンタルすること。
又、上述のキャラクタを各種商業施設などで行われるイベント場にレンタルすること。
【考案の詳細な説明】
【技術分野】
【０００１】本考案は、シリコンで人間のキャラクタを作り、情報技術を利用し、人間が気配を察知し、キャラクタに簡単な言葉を話せるようにするものである。
【背景技術】
【０００２】人件費が最も高い国の一つである日本では、中小企業などは資金面の問題もあり、事務所に受付を設け、スタッフを配置することができず、企業のイメージに影響がある。
又、様々なイベント場等でも経済面の問題でスタッフを十分配置せず、イベントの効果に影響がある。
【考案の概要】
【考案が解決しようとする課題】
【０００３】現在、大手企業は全て事務所に受付カウンタを設け、そこに案内スタッフを配置しております、こうすることによって企業のイメージがアップさせられ、より多いビジネスチャンスが到来する。しかし、中小企業は資金面での問題で受付を設けても案内スタッフを配置することができず、企業の業績に影響することもあります。又、各種商業施設などで行う展示会、イベント、ショールームなどでも人件費の問題、時間的問題で十分なスタッフを配置することができず、イベントの効果に影響がある。
【課題を解決するための手段】
【０００４】本発明は上記の問題を解決するため、マネキンに音声合成システム、人感センサー、カメラ等を組み込み、マネキンの半径１ｍ（モードの設定により違う）以内の人の動きを感知し、簡単な挨拶とか案内ができるようにします。尚、季節の変わり、企業の内容によっていろいろなバージョンを変えることができます。【０００５】上述の挨拶及び案内用ロボットを経済面で余裕のない中小企業に販売及びリース、レンタル事業を行います。又、上述の挨拶及び案内用ロボットを各イベント場へレンタルすることによって、経済的、時間的問題を柔軟に解決することができる。
【図面の簡単な説明】
【０００６】
【図１】上のマネキンは夏のイベント会場ようです。「いらしゃいませ」「本日は女優の  ○○さんが来場しています。」などのおしゃべりができます。
【符号の説明】
【０００７】１、内蔵カメラモジュール
２、音声合成システム
３、人感センサー
４、本体
５、電源スイッチ
６、赤外線受光部
【図１】
0003156621.tif 000003
【手続補正書】
【提出日】平成21年10月8日(2009.10.8)
【手続補正１】
【補正対象書類名】実用新案登録請求の範囲
【補正対象項目名】全文
【補正方法】変更
【補正の内容】
【実用新案登録請求の範囲】
【請求項１】
目にカメラを内蔵し、胸の上部部分に人感センサーを設置しているマネキンが周囲の人の動きを感知し、口の中に内蔵している音声合成システムでコミュニケーションを取ることが可能なマネキン型ロボット
(57)【要約】      （修正有）【課題】プリント配線基板の損傷のおそれが軽減され、ワンタッチで基板を固定でき、また、治具の縮小化も図れ、そのため回転式治具の可動範囲より少ない面積で治具の設置が可能となる基板押え治具を提供する。【解決手段】テーパー加工を施した突起部を備えた部品と、部品を受ける凹型の金具からなる装置をプリント配線基板の外側で基板の上面より高い位置に設置し、部品突起部のテーパー加工を利用し、テーパー部を凹部の金具の内角部から滑らせるようにしてプリント配線基板面に傾斜下降しながら押え付ける。【選択図】図１
0003156623.tif 000002
【実用新案登録請求の範囲】
【請求項１】
フロー方式によるプリント配線基板のハンダ付け工程の際に使用する耐熱性のプレート状の保持搬送冶具に、プリント配線基板を回転式冶具等で保持固定する際、プリント配線基板の表面にできる摩擦痕等の傷を軽減する為、プリント配線基板の外部上空から傾斜下降するプリント配線基板保持搬送冶具用傾斜下降式基板押え冶具。
【考案の詳細な説明】
【技術分野】
【０００１】  本考案は、フロー方式によるプリント配線基板のハンダ付け工程における、プレート状のプリント配線基板保持搬送冶具の傾斜下降式基板押え冶具に関する。
【背景技術】
【０００２】  耐熱性のプレート状の保持搬送冶具にプリント配線基板を保持し、フロー方式によるハンダ付け工程の際、ハンダ噴流の力によって、冶具から基板が外れないよう固定する必要がある。従来の方法として、図４のように冶具を回転させ、基板面にスライドさせるなどしてプリント基板を固定していた。
【考案の開示】
【考案が解決しようとする課題】
【０００３】  しかし、前途の従来技術では、基板の表面を擦りながらの固定となり、基板損傷のおそれがあった。また、回転式冶具においては回転させる手間がかかる上、回転範囲内に設置面積を必要としていた。
【課題を解決するための手段】
【０００４】  そこで、テーパー加工を施した突起部を備えた部品と、部品を受ける凹型の金具からなるプリント配線基板保持搬送冶具用傾斜下降式基板押え冶具の考案により課題を解決する。これにより、プリント配線基板保持搬送冶具に納置したプリント配線基板の上面より高い位置に設置することによって、部品突起部のテーパー加工を利用し、テーパー部を金具の内角部から滑らせるようにしてプリント配線基板上面に落とし、プリント配線基板を押えることが可能となる。（図１、図２、図３参照）
【考案の効果】
【０００５】  よって、本考案により、プリント配線基板の損傷のおそれも軽減される上、ワンタッチで基板を固定できる。また、冶具の縮小化も図れ、そのため回転式冶具の稼働範囲より少ない面積で冶具の設置が可能となる。
【考案を実施するための最良の形態】
【０００６】  本考案に係るプリント配線基板保持搬送冶具用傾斜下降式基板押え冶具２０は、図１が示すように、コの字型金具２にスライドピン３のガイドのための長穴５を両面に設け、プリント配線基板保持搬送冶具８に開口部を上にした状態で市販の皿ビス１０で設置する。その開口部に合わせた大きさで、テーパー加工７を施し突起部６を備えた部品１を金具の開口部に設置する。その際、部品１の後尾下面に押しバネ４を仕込むための部位を設け、押しバネ４を納置し、コの字型金具に開けた長穴５の位置に合うように、スライドピン３を基板押さえ本体１に圧入する。
【図面の簡単な説明】
【０００７】
【図１】  本考案の係るプリント配線基板保持搬送冶具用傾斜下降式基板押え冶具の背面図付き初期位置側面図である。
【図２】  本考案の係るプリント配線基板保持搬送冶具用傾斜下降式基板押え冶具の中間動作時の側面図である。
【図３】  本考案の係るプリント配線基板保持搬送冶具用傾斜下降式基板押え冶具の動作終了時の側面図である。
【図４】  従来のプリント配線基板保持搬送冶具用基板押え回転式冶具をプリント配線基板保持搬送冶具で使用した状態の９０度回転動作終了図付き初期位置側面図である。
【符号の説明】
【０００８】      １    基板押さえ本体
２    基板押さえ本体受けコの字型金具
３    スライドピン
４    凹設した部位に納置した市販の押しバネ
５    コの字型金具２に設けた長穴
６    部品１に設けた突起部
７    突起部６に加工されたテーパー部
８    プリント配線基板保持搬送冶具
９    プリント配線基板
１０  市販の皿ビス
２０  傾斜下降式基板押え冶具
３０  従来の回転式冶具
【図１】
0003156623.tif 000003
【図２】
0003156623.tif 000004
【図３】
0003156623.tif 000005
【図４】
0003156623.tif 000006
【手続補正書】
【提出日】平成21年10月13日(2009.10.13)
【手続補正１】
【補正対象書類名】実用新案登録請求の範囲
【補正対象項目名】全文
【補正方法】変更
【補正の内容】
【実用新案登録請求の範囲】
【請求項１】
フロー方式によるプリント配線基板のハンダ付け工程の際に使用する耐熱性のプレート状の保持搬送冶具に、プリント配線基板を回転式冶具等で保持固定する際、基板押え治具の回転あるいはスライド等の引き摺りに依り、プリント配線基板の表面にできる摩擦痕等の傷を軽減する為、テーパー加工を施した突起部を備えた部品と、部品を受ける凹型の金具からなる装置をプリント配線基板の外側で基板の上面より高い位置に設置し、部品突起部のテーパー加工を利用し、テーパー部を凹型の金具の内角部から滑らせるようにしてプリント配線基板面に傾斜下降しながら押え付ける、プリント配線基板保持搬送冶具用傾斜下降式基板押え冶具。
(57)【要約】      （修正有）【課題】突起があるゴムボールを、充電ドライバーに取付、その回転でゴムボールを回転し、突起の部分で全ネジボルトのナットを回すことができるナット回しボールを提供する。【解決手段】突起のあるゴムボール１に穴をあけ、ナット付六角ビット２を取付、ゴムパッキン３をワッシャー４とワッシャー５で挟み、ナット６で締め付ける。さらに六角ナット７で締め、空気が漏れないように、ナットの隙間をコーキングする。空気穴９より空気を送り込む。ナット付六角ビット２を充電ドライバーへ取付、充電ドライバーが回転することにより、ゴムボールも回転し、突起でナットを回すものである。作業効率があがり、手への負担が少なくなる。【選択図】図１
0003156632.tif 000002
【実用新案登録請求の範囲】
【請求項１】
突起が付いたゴムボールの下をくりぬき、充電ドライバー取付用ビットが付いたねじをゴムボールに取付、固定し、充電ドライバーを回転することにより、ゴムボールも回転し、突起の部分で全ネジボルトのナットを回すナット回しボール。
【考案の詳細な説明】
【技術分野】
【０００１】  本考案は、全ネジボルトにナットを取り付けるための道具に関するものである。
【背景技術】
【０００２】  全ネジボルトにナットを取り付けるとき、手で回していた。
【先行技術文献】
【特許文献】
【０００３】
【特許文献１】  特許公開２００３−３１１６３８
【非特許文献】
【０００４】
【非特許文献１】  未来工業  総合カタログ２００９−２０１０，Ｐ５５
【考案の概要】
【考案が解決しようとする課題】
【０００５】  全ネジボルトにナットを回すときに手で回すと、手への負担が大きく、時間もかかり作業効率も悪い。ナットを専用の工具で回すことにより、前途の欠点を解決しようとするものである。
【課題を解決するための手段】
【０００６】  本考案は、ゴムの突起が出ているゴムボールを充電ドライバーに取り付け、回転させることにより、ナットを回すことで問題を解決している。
【考案の効果】
【０００７】  上途のように突起が出ているゴムボールは、ナットを回すことは勿論、充電ドライバーに簡単に取付け、取外しができ、しかも狭い場所でナットを回すことができる。充電ドライバー１つで、先端を変えることにより、いろいろな作業をすることができる。
【図面の簡単な説明】
【０００８】
【図１】本考案のナット回しボールの一実例を示す図面である。
【図２】ナット回しボールの一部切欠断面図である。
【考案を実施するための形態】
【０００９】  突起が付いたゴムボールの下をくりぬき、充電ドライバー取付用ビットが付いたねじをゴムボールに取付、ゴムボールの内側と外側をワッシャーで絞め固定し、空気が漏れないようにする。こうすることにより、充電ドライバーに簡単に取付可能となる。
【実施例】
【００１０】  以下、添付図面に従って一実例を説明する。１は耐久性のあるゴム等適宜素材にて作られたゴムボール。２はナット付六角ビット。３は空気漏れを解消するゴムパッキン。４，５は固定用ワッシャー。６は絞付用ナット。７は空気を入れる穴。
【産業上の利用可能性】
【００１１】２を充電ドライバーへ付けることにより回転でき、ゴムボールが回る。
【符号の説明】
【００１２】１．突起付きゴムボール
２．ナット付六角ビット
３．ゴムパッキン
４．ワッシャー
５．ワッシャー
６．ナット
７．空気穴
【図１】
0003156632.tif 000003
【手続補正書】
【提出日】平成21年11月9日(2009.11.9)
【手続補正２】
【補正対象書類名】明細書
【補正対象項目名】０００８
【補正方法】変更
【補正の内容】
【０００８】
【図１】本考案のナット回しボールの一実例を示す図面である。
(57)【要約】      （修正有）【課題】人工股関節置換術後の患者が、外転位を保持したまま側臥位動作が容易で、なおかつ就眠時での寝返りおよび側臥位での就眠に制約を加えない外転枕を提供する。【解決手段】外転枕は、上方を長辺とする台形形状とずれ落ち防止のストッパー形状を併せ持ち、患肢を弾力性のあるバンドで固定する。【選択図】図１
0003156440.tif 000002
【実用新案登録請求の範囲】
【請求項１】
患肢を上とした側臥位にて台形の形状をもち、長辺を上方として使用することにより患肢が腹側に倒れこむのを防止したことを特徴とする。さらに側臥位にて患肢が脊側に落ち込むのを防ぐためにストッパー形状を有し患肢を弾力性のあるバンドで固定することを可能とした外転枕。
【考案の詳細な説明】
【技術分野】
【０００１】
本考案は人工股関節置換術後の患者が股関節外転位保持したまま側臥位動作が容易で就眠可能な外転枕に関するものである。
【背景技術】
【０００２】
近年平均寿命の延長に伴う高齢化のため関節症性変化や転倒による骨折の所見を示す疾患が増加している。そのため変形性股関節症や大腿骨頚部骨折等の疾患を患う患者に対して人工股関節置換術の手術が行われている。しかしながら手術早期は手術による骨組織や軟部組織の操作により脱臼の危険性が高いため、術後の股関節外転位保持は脱臼予防の観点から非常に重要である。通常人工股関節置換術後に股関節内転・内旋位をとると脱臼誘発肢位となる。現在までに一般的に用いられてきた外転枕は大きく患者自身で装着しにくく患肢・健肢とも固定するため患者自身の拘束感が強く使用頻度は減っている。市販の股関節固定用キーパーは大型で重量もあり患者自身では操作が困難で側臥位時にも介助が必要であり、ベッドから端座位及び車椅子移乗においても他者の介助が必要である。
そのためスポンジ2〜3枚を重ね合わせ約20×20×30cm程度の枕を簡易外転枕として使用しているのが現状である。しかしながら簡易外転枕は装着時体位の変換にて容易にズレ落ちするため外転位保持が困難であり、特に患者が就眠する際に寝返り動作を安心して取れないため、仰臥位での就眠の指導がなされることが多く患者自身のストレスとなり腰痛、不眠などの訴えが出現することがある。これらの問題の解決のために容易に側臥位動作を患者自身が行いその状態を保持でき、就眠中のような意識が肢位に向かない状況でも外転位保持可能な外転枕を考案することである。
【先行技術文献】
【非特許文献】
【０００３】
【非特許文献１】人工股関節全置換術後に使用する抱き枕の改良, 玉野祐子  高橋孝子  須田菜那  真壁幸子, Hip Joint, 34, 102-106, 2008.
【考案の概要】
【考案が解決しようとする課題】
【０００４】
解決しようとする課題は（１）外転枕に固定した患肢が側臥位時に腹側にずれることにより患側股関節が内転、内旋強制され脱臼の危険性が高まることを防止する。
（２）また逆に患肢が背側にずれることにより外転枕自体が良位置から移動し腹側に外れてしまうことを防ぐことである。
【課題を解決するための手段】
【０００５】
・  前記課題を解決するためになされた本考案の外転枕は台形の形態を有しており（図１）、長辺を有する面を上面として使用することにより（図２・３）その傾斜のため側臥位を取った際に上方となる患肢が腹側に倒れこむことなく保持可能である。
・  前記課題を解決するためになされた本考案の外転枕は側臥位を呈した際に上方となった患肢が背側に滑り落ちるのを防ぐためのストッパーとしての傾斜を有しており、なおかつ伸縮性の素材を用いたベルトでしっかりと固定する（図４）。
【考案の効果】
【０００６】
本考案により人工股関節置換術後に仰臥位での就眠を強制されること無く、しかも軽量で簡便なベルト支持付き外転枕により側臥位での臥床が容易となる。しかも就眠時にも患肢の腹側・背側への移動もなく脱臼肢位を誘発することがないため寝返り及び側臥位での就眠が可能である。
【図面の簡単な説明】
【０００７】
【図１】考案した外転枕の斜視像
【図２】この外転枕を仰臥位にて装着した際の断面図
【図３】この外転枕を側臥位にて装着した際の断面図
【図４】実際に装着した場合の斜視像
【考案を実施するための形態】
【０００８】
・  この考案の外転枕の材料は特に限定されないが硬質材料よりは軟質発泡体、例えば軟質ポリウレタンフォームを使用するのが望ましい。表面は面ファスナーで固定できる素材であるナイロンジャージで覆い皮膚との接触を考え、表面の滑らかな素材が好ましい。
・  上面２０×２０ｃｍの正方形、底面７×２０ｃｍの長方形で、高さは約３０ｃｍの台形上の直方体で形成され（図１）。側臥位にて使用した場合、健肢に対して患肢は外転約２０度・軽度屈曲外旋位に保持可能である（図３）。
・  患肢背側よりにずり落ち防止のストッパーとなるべく傾斜が設けてあり、伸縮性の素材からなるベルトで密着させることにより安定した固定が可能となる（図３）。またベルトは面ファスナーで脱着可能であり対格差による長さの調整が容易であり、しかも患肢の左右を問わず同様に使用可能である。
【実施例】
【０００９】
以下本考察を使用した実施例につき具体的に図を参照して説明する。
図１は外転枕の斜視像である。上面は２０×２０ｃｍの正方形。底面は７×２０ｃｍの長方形にズレ落ち防止のストッパーとして約７ｃｍの張り出しを有する。高さは約３０ｃｍである。面ファスナー付き患肢固定用ベルトが付属している。
図2は仰臥位にて装着した大腿中央部での断面図である。股関節外転約20度、軽度外旋位に保持可能である。
図3は患肢を上方にした側臥位における大腿中央部での断面図である。
患側股関節は外転約20度、軽度屈曲外旋位に固定可能である。腹側＞背側についた傾斜により、患肢の腹側への倒れこみを防止している。さらに背側についたストッパーにより患肢の背側へのズレ落ち防止となる。
図４は患肢を上方にして側臥位とした場合の斜視図である。串肢を固定用ベルトで固定し自由に側臥位可能である。
【産業上の利用可能性】
【００１０】
人工股関節置換術後の術後早期の脱臼防止のために臥床時使用する外転枕である。
【符号の説明】
【００１１】
１外転枕本体
２ズレ落ち防止のストッパー
３患肢固定用ベルト
４面ファスナー
【図１】
0003156440.tif 000003
【図２】
0003156440.tif 000004
【図３】
0003156440.tif 000005
【図４】
0003156440.tif 000006
【手続補正書】
【提出日】平成21年10月5日(2009.10.5)
【手続補正１】
【補正対象書類名】実用新案登録請求の範囲
【補正対象項目名】全文
【補正方法】変更
【補正の内容】
【実用新案登録請求の範囲】
【請求項１】
上方を長辺とする台形形状とずれ落ち防止のストッパー形状を併せ持ち、患肢を弾力性のあるバンドで固定することを可能とした外転枕。
(57)【要約】      （修正有）【課題】Ｔ字型シートから簡単に組み立てることができる組立式小物入れを提供する。【解決手段】垂直部４の両側にそれぞれ水平部２、３を設けたＴ字型シート１の水平部２、３を同じ側に折り曲げて重ね合わせ、その重ね合わせ部分５の外側にさらに垂直部４を折り曲げて重ね合わせた後、重ね合わせ部分５とＴ字型シート１との間に垂直部４の端部６を折り曲げて挿入することを特徴する組立式小物入れ。【選択図】図４
0003156435.tif 000002
【実用新案登録請求の範囲】
【請求項１】
垂直部の両側にそれぞれ水平部を設けたＴ字型シートの水平部を同じ側に折り曲げて重ね合わせ、その重ね合わせ部分の外側にさらに垂直部を折り曲げて重ね合わせた後、重ね合わせ部分とＴ字型シートとの間に垂直部の端部を折り曲げて挿入することを特徴する組立式小物入れ。
【考案の詳細な説明】
【技術分野】
【０００１】  本考案は、Ｔ字型シートから簡単に組み立てることができる組立式小物入れに関する。
【背景技術】
【０００２】  従来より、小物入れは、名刺入れ、手帳入れ、小銭入れ等に幅広い用途に用いられている。使用者は、必要に応じて、数多くの市販品から自分の好みにあった色調や模様の小物入れを選択して使用しているが、長期間の使用に耐えるものはかなり高価であった。
【考案の開示】
【考案が解決しようとする課題】
【０００３】  そのために次のような問題点があった。
（イ）表面が汚れたり傷がついたりしても簡単に買い換えることができない。
（ロ）一定期間使用しているうちに色や模様に飽きがきても我慢して使用する。
本考案は以上の問題点を解決するためになされたものである。
【課題を解決するための手段】
【０００４】  垂直部の両側にそれぞれ水平部を設けたＴ字型シートの水平部を同じ側に折り曲げて重ね合わせる。この重ね合わせ部分の外側にさらに垂直部を折り曲げて重ね合わせる。
次いで、重ね合わせ部分とＴ字型シートとの間に垂直部の端部を折り曲げて挿入する。
以上を特徴する組立式小物入れである。
【考案の効果】
【０００５】  簡単に組み立てることができると共に、表面が汚れたり傷がついた場合や使用しているうちに飽きがきた場合は、今まで表側として使用していた面を裏側とし、今までの裏面を表側に出して同様の手順で組み立てることにより、汚れや傷を隠すことができると共に、今までと違った感覚や新品感覚の小物入れとして使用することができる。
【考案を実施するための最良の形態】
【０００６】  以下本考案の実施の形態について説明する。
（イ）垂直部（４）の両側にそれぞれ水平部（２）、（３）を有するＴ字型シート（１）を設ける。
（ロ）水平部（２）、（３）をそれぞれ同じ側に折り曲げて重ね合わせる（折り曲げ方向を矢印で示す、以下同様）。
（ハ）この重ね合わせ部分（５）の外側にさらに垂直部（４）を折り曲げて重ね合わせる。
（ニ）重ね合わせ部分（５）とＴ字型シート（１）との間に垂直部（４）の端部（６）を折り曲げて挿入する。
本考案の組立式小物入れは、以上の構成で、重ね合わせ部分（５）とＴ字型シート（１）とで囲まれた空間（７）に収容スペースが形成される。
Ｔ字型シート（１）の形状、寸法は収容物の大きさによって適宜決定されるが、水平部（２）及び（３）並びに垂直部（４）の長さや幅方向の寸法は目的とする収容物より若干大きくなるように設定することが好ましい。
Ｔ字型シート（１）の素材としては、特に限定されず、従来から使用されている皮革、布地、プラスチックシートなどが好適に用いられる。これらの素材は単独で使用されても、積層されて使用されてもよい。
特に、Ｔ字型シート（１）の素材として、材質や模様の異なるものを積層して使用すると、素材のいずれの面を表側にするかによって、全く別感覚の小物入れを提供することができる。
【図面の簡単な説明】
【０００７】
【図１】  本考案に使用するＴ字型シートの斜視図
【図２】  本考案を組立てる際の手順を示す説明図
【図３】  本考案を組立てる際の手順を示す説明図
【図４】  本考案を組立てる際の手順を示す説明図
【図５】  本考案の組立式小物入れを示す斜視図
【符号の説明】
【０００８】  １  Ｔ字型シート
２  水平部
３  水平部
４  垂直部
５  重ね合わせ部分
６  端部
７  空間
【図１】
0003156435.tif 000003
【図２】
0003156435.tif 000004
【図３】
0003156435.tif 000005
【図４】
0003156435.tif 000006
【図５】
0003156435.tif 000007
(57)【要約】      （修正有）【課題】小さくなった固形石鹸を、最後まで有効に、無駄なく使い切るボディタオルを提供する。【解決手段】ボディタオルの片面あるいは両面に、固形石鹸を入れるポケットを付ける。使用時に邪魔にならない場所が良い。ポケットには石鹸が落ちないようにフタを付けるか、あるいはマジックテープを付けて落ちないようにする。小さくなった固形石鹸を、ボディタオルのポケットに入れて使う事で、最後まで有効に無駄なく使え、エコにつながる。しかも泡立ちが大変良くなる。【選択図】図１
0003156438.tif 000002
【実用新案登録請求の範囲】
【請求項１】
固形石鹸を入れる為のポケットを付けた、ボディタオル。
ポケットには石鹸が落ちないようにフタを付けるか、あるいはマジックテープを付ける。
【考案の詳細な説明】
【技術分野】
【０００１】本考案は、小さくなった固形石鹸を、最後まで無駄なく有効に使い切る為の道具
【考案の開示】
【考案が解決しようとする課題】小さくなった固形石鹸を、最後まで無駄なく、有効に使い切る。
【課題を解決する為の手段】
石鹸を入れる為のポケットを付けたボディタオル造る
【考案の効果】
小さくなった固形石鹸を、ボディタオルのポケットに入れて使う事で、最後まで有効に無駄なく使え、エコにつながる。しかも泡立ちが大変良くなる。
【考案を実施するための最良の形態】
【・・・・・】
【実施例】
【・・・・・】
【産業上の利用可能性】
【・・・・・】
【図面の簡単な説明】
【・・・・・】
【図１】
【符号の説明】
【・・・・・】
【図１】
0003156438.tif 000003
【手続補正書】
【提出日】平成21年9月30日(2009.9.30)
【手続補正１】
【補正対象書類名】実用新案登録請求の範囲
【補正対象項目名】全文
【補正方法】変更
【補正の内容】
【実用新案登録請求の範囲】
【請求項１】
固形石鹸を入れる為のポケットを付けたことを特徴とする、ボディタオル。
【請求項２】
ポケットには石鹸が落ちないようにフタを付けるか、あるいは、面ファスナーを付けることを特徴とする、請求項１に記載のボディタオル。
【手続補正２】
【補正対象書類名】明細書
【補正対象項目名】全文
【補正方法】変更
【補正の内容】
【考案の詳細な説明】
【技術分野】
【０００１】本考案は、小さくなった固形石鹸を、最後まで無駄なく有効に使い切る為の道具
【考案が解決しようとする課題】
小さくなった固形石鹸を、最後まで無駄なく、有効に使い切る。
【課題を解決する為の手段】
石鹸を入れる為のポケットを付けたボディタオル造る
【考案の効果】
小さくなった固形石鹸を、ボディタオルのポケットに入れて使う事で、最後まで有効に無駄なく使え、エコにつながる。しかも泡立ちが大変良くなる。
【図面の簡単な説明】
【図１】石鹸入れポケット付ボディタオルを示した平面図である。
(57)【要約】      （修正有）【課題】肉質が均等で食べやすい乾燥梅菓子を提供する。【解決手段】梅肉を粉砕せずに圧縮し固め、ブロック状にする。さらに、シート状、長方形状、スティック状にカッティングし、糖衣を付ける。【選択図】図１
0003156433.tif 000002
【実用新案登録請求の範囲】
【請求項１】
従来の乾燥梅菓子又は干し梅を圧力で圧縮を掛け、梅肉のブロックが得られ、これをカッティング分割し、シート状、長方形状、糸状、スティック状の乾燥梅菓子になる。梅肉を粉砕せず圧力で固まる事により梅肉内の空洞をなくし、より均一な梅肉肉質が得られることを特徴とする乾燥梅菓子である。
【請求項２】
上記請求項１に基づきシート状、長方形状、糸状、スティック状の乾燥梅菓子にさらに糖衣を付けることにより、まろやかな食感を得られることを特徴とする乾燥梅菓子である。
【考案の詳細な説明】
【技術分野】
【０００１】  本考案は、従来の乾燥梅菓子又は干し梅に圧力を加え固めた上カッティング分割した梅菓子に関するものである。
【背景技術】
【０００２】  今までの乾燥梅菓子又は干し梅は自然乾燥により梅肉内の水分が蒸発し肉質が不均等である。なお、肉質密度、外観、堅さや形や色のばらつきが目立ち、見栄えも欠けている。
【考案の概要】
【考案が解決しようとする課題】
【０００３】  従来の乾燥梅菓子又は干し梅に圧力を加え、梅肉中の空洞をなくし、固めた梅肉ブロックになり、これをカッティング分割しシート状、長方形状、糸状、スティック状にカッティング加工できます。これによって食べやすくなる。前述の梅肉のばらつきを改善しようとするものである。
【課題を解決するための手段】
【０００４】  従来の乾燥梅菓子又は干し梅を容器に入れ、圧力で圧縮を掛け、梅肉のブロックが得られる。これをカッティング分割し、シート状、長方形状、糸状、スティック状の乾燥梅菓子になる。梅肉を粉砕せず本来の植物繊維を保ったまま、圧力で固まる事によって、梅肉内の空洞をなくし、より均一な梅肉肉質が得られることが特徴である。
【図面の簡単な説明】
【０００５】
【図１】：圧力で固めた梅肉ブロック
【図２】分割したシート梅菓子
【図３】分割した長方形梅菓子
【図４】分割した糸梅菓子
【図５】分割したスティック状梅菓子
【図１】
0003156433.tif 000003
【図２】
0003156433.tif 000004
【図３】
0003156433.tif 000005
【図４】
0003156433.tif 000006
【図５】
0003156433.tif 000007
【手続補正書】
【提出日】平成21年10月5日(2009.10.5)
【手続補正１】
【補正対象書類名】実用新案登録請求の範囲
【補正対象項目名】全文
【補正方法】変更
【補正の内容】
【実用新案登録請求の範囲】
【請求項１】
乾燥梅菓子又は干し梅を粉砕せず圧力で梅肉を圧縮し、固めたことによりブロック状が得られたことを特徴とする乾燥梅菓子。
【請求項２】
請求項１記載の乾燥梅菓子において、さらにシート状、長方形状、糸状、スティック状にカッティングし、糖衣を付けたことを特徴とする乾燥梅菓子。
(57)【要約】      （修正有）【課題】焼き鳥器本体での炭への着火・火力の調節が容易で、かつ、簡単に焼き鳥を焼ける焼鳥器を提供する。【解決手段】肉乗せする部分６を金属板を曲げ加工することにより本体と一体形成し、また、焼き鳥器本体の両側面を全面開口とする構造にし、炭への着火・火力調節を容易にするため大量の空気を調節する遮蔽板８を取付けて、焼鳥器を構成する。【選択図】図３
0003156432.tif 000002
【実用新案登録請求の範囲】
【請求項１】
金属板を曲げ加工することにより、肉乗せする部分を本体と一体形成した焼き鳥器。
【請求項２】
本体の左右を塞がずに開口部とし、この開口部を遮蔽板が上下開閉することにより、炭への着火及び火の調節が容易に行われるようにした焼き鳥器
【考案の詳細な説明】
【技術分野】
【０００１】
本考案は、金属板の曲げ加工を利用した炭火焼き鳥器に関するものである。
【背景技術】
【０００２】
従来の炭火による焼き鳥器は、珪藻土や耐火レンガなどで上面だけがあいている四角い箱を形成し、金属板で外側を覆い下方に小さな空気口を設けているといった構造になっている。図１は従来の焼き鳥器を側面から見た断面図である。１は串に刺した鶏肉、２は串、３は金属製の角棒やL型鋼といった肉乗せ用の部品、４は従来の焼き鳥器本体、５は炭を示す。従来焼き鳥を焼く時は焼き鳥器本体４の上に、串２の焼け落ちを防ぐ為肉乗せ用の部品３を焼き鳥器の長手方向に２本置き、串に刺した鶏肉１の長さに等しく平行を保つ必要がある。しかし、肉乗せ用の部品３は乗せているだけの為、部品３に鶏肉１が焼け付いてしまうとそれをはがすために力が加わり部品３が動いてしまい、焼いている他の串が焼き鳥器の中に落ちたり、加熱された部品３に触れて火傷をしたりすることがあり、初心者には焼くことが困難だった。
【０００３】
また、従来の焼き鳥器では下方にある小さな空気口で火力の調節を行うが、このような構造の場合焼き鳥器で炭を熾すことは困難であり、たいていは炭熾し器などで熾した炭を焼き鳥器に移し変えてから使用している。このため、炭を熾して焼き鳥器を使用するまでに時間がかかり炭の使用は面倒だという印象が強かった。また小さな空気口では十分な空気が取り込めず、焼き加減による火力調節も困難だった。
【考案の概要】
【考案が解決しようとする課題】
【０００４】
焼き鳥を焼いている過程で金属製の角棒やＬ型鋼といった肉乗せ用の部品がずれ、焼きづらい点である。
【０００５】
空気の供給源となる空気口が小さく炭への着火及び火力の調節が難しい点である。
【課題を解決するための手段】
【０００６】
肉が乗る部分を焼き鳥器本体と一体形成することにより一定の串焼きの幅を確保したことを特徴とする。
【０００７】
左右側面の遮蔽板を取り除いたり、わずかに開閉させたりすることにより空気調節が容易に出来ることを特徴とする。
【考案の効果】
【０００８】
一定の串焼きの幅を確保することにより、金属製の角棒やL型鋼といった肉乗せ用の部品を使用することがない為、焼き鳥を焼く際の焼きづらさを解消した。
【０００９】
遮蔽板を取り除くと上面及び左右両側面の三面がすべて開口部となり、大量の空気を側面から送ることで炭への着火が容易になり、焼き鳥器として使用する時は遮蔽板をわずかに開閉することにより火力調節が容易になった。
【図面の簡単な説明】
【００１０】
【図１】図１は従来の炭火焼き鳥器の実施状態を示した説明図である。
【図２】図２は本考案の炭火焼き鳥器の実施状態を示した説明図である。（実施例１）
【図３】図３は本考案の炭火焼き鳥器の実施状態を示した説明図である。（実施例２）
【図４】図４は本考案の炭火焼き鳥器の実施状態を示した説明図である。（実施例２）
【考案を実施するための形態】
【００１１】
焼き鳥器を使用する際の部品による焼きづらさの解消という目的を、部品・本体ともに一体形成することで実現した。
【００１２】
また、焼き鳥器本体での炭への着火・火力の調節を容易にするという目的を焼き鳥器本体の両側面を全面開口部とする構造によって実現した。
【実施例１】
【００１３】
図２は本考案の炭火焼き鳥器を側面から見た断面図を示したものであり、１・２・５は図１と同様である。また、６は本体・肉乗せ部、７はすのこを表す。
【００１４】
本考案は本体に使用している金属板を折り曲げて本体上部に隆起させ、肉乗せ用の部品と同等の肉乗せ部を形成している。本体と一体形成した肉乗せ部６に直接焼き鳥串を乗せて焼くことができ、従来の部品３を使用せずかつ一定の幅に保たれた本体・肉乗せ部６により、より安全・容易に焼き鳥を焼くことができ、焼き鳥を焼く際の焼きづらさを解消した。
【実施例２】
【００１５】
図３は本考案の焼き鳥器の斜視図を示したもの、図４は側面を真上から見た断面図を示したものとなっている。図３・図４双方とも６〜７は図２と同様である。また、８は遮蔽板、９は補強材、１０は遮蔽板のガイドを表す。
【００１６】
本考案は図３折り曲げた金属板本体６の左右両端に補強材９を入れて焼き鳥器本体を形成し、さらにその両端外側に遮蔽板８が上下する為のガイド１０を設けた。これにより、遮蔽板８を取り除くと上面及び左右両側面の三面がすべて開口部となり、大量の空気を側面から送ることで炭への着火が容易に行われるようにした。
【００１７】
火を熾した後は図３のようにガイド１０に沿って遮蔽板８を挿入すると、図４断面図のように空気は遮断され、焼き鳥器として使用することができる。また遮蔽板をわずかに開閉することにより火力を調節することができる。
【符号の説明】
【００１８】
１    串に刺した鶏肉
２    串
３    金属製の角棒やＬ型鋼といった肉乗せ用の部品
４    珪藻土や耐火レンガなどを使用した従来の焼き鳥器
５    炭
６    本考案の焼き鳥器本体・肉乗せ部
７    すのこ
８    遮蔽板
９    補強材
１０    遮蔽板ガイド
【図１】
0003156432.tif 000003
【図２】
0003156432.tif 000004
【図３】
0003156432.tif 000005
【図４】
0003156432.tif 000006
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
金属板を曲げ加工することにより、肉乗せする部分を本体と一体形成した焼き鳥器。
【請求項２】
本体の左右を塞がずに開口部とし、この開口部を遮蔽板が上下開閉することにより、炭への着火及び火の調節が容易に出来ることを特徴とした請求項１記載の焼き鳥器
(57)【要約】      （修正有）【課題】簡単・迅速に傘布を束ねて留めることが出来、且つ傘の転倒を防止するストラップを提供する。【解決手段】木・プラスチック・金属等で作られた環状の傘布留めホルダー１と、連結されたコイルコード・布・皮・合成樹脂等で作られた紐状の傘の転倒防止用ストラップ２を有する。【選択図】図１
0003156439.tif 000002
【実用新案登録請求の範囲】
【請求項１】
環状の傘布留めホルダー付き転倒防止用ストラップ。
【請求項２】
請求項１記載の環状傘布留めホルダーは木・プラスチック・金属等で作られており、傘布留めホルダーに連結したストラップは、コイルコード・布・皮・合成樹脂等の紐で作られている転倒防止用ストラップ。
【考案の詳細な説明】
【技術分野】
【０００１】  本考案は、傘を閉じる際に手を濡らさず傘布を束ねる事が簡単に出来る環状のホルダーを有する転倒防止用ストラップに関するものである。
【背景技術】
【０００２】  従来、雨の日に傘をたたんで電車やバスに乗る際、傘布を束ねて留めるには、手が濡れるうえ、手間と若干の時間を要した。そして、傘を持って座席に座った際、傘を転倒させない為には手で柄の部分を持っているか、床に横置するようにしてきた。
【先行技術文献】
【特許文献】
【０００３】
【特許文献１】  実登３０４２０７０  公報
【特許文献２】  特開平１１−３１８５２３  公報
【特許文献３】  特開平１０−３３７２０７  公報
【考案の概要】
【考案が解決しようとする課題】
【０００４】  電車やバスに乗る際、濡れた傘を畳み傘布を束ねるにあたり、従来のように傘布を中棒を回しながら巻き、傘留めバンドを巻いて留める作業は手を濡らす上、時間を要した。また、腰掛けた際、雨の日の車内の床は滑りやすく、立て掛けた傘から手を離すと頻繁に転倒する等の問題があった。【０００５】  本考案は、これらの問題点に鑑みてなされたもので、濡れた傘布を簡単に束ね、しかも座席に座った際に立て掛けた傘が倒れないように固定出来るストラップを提供することを目的とする。
【課題を解決するための手段】
【０００６】  本考案は、木・プラスチック・金属等で作られた環状の傘布留めホルダーを用いることにより、上記の問題を解決する【０００７】  本考案は、環状の傘布留めホルダーに連結したコイルコード・布・皮・合成樹脂等で作られた傘の転倒防止用ストラップを用いることにより、上記の問題を解決する。
【考案の効果】
【０００８】  本考案により、雨天の日に傘を持って電車・バスに乗る際に、以下のような効果がある。【０００９】  雨天の日に傘を持って電車やバスに乗る際、手を濡らさずに傘布を迅速に束ねることが出来る。【００１０】  電車やバス内で腰掛けた場合、持っていた傘を立て掛けた際に、このストラップを手で保持して固定、又は大腿部と座席面との間に挟んで転倒することなく固定出来る。
【図面の簡単な説明】
【００１１】
【図１】本考案全体の斜視図である。
【図２】環状ホルダーに畳んだ傘を差し込み、傘布を束ねる際の状態を示す図（ａ）と、傘を束ねた状態を示す図（ｂ）である。
【図３】傘の転倒防止用ストラップを大腿部と座席面の間に挟み傘を固定した状態を示す図である。
【考案を実施するための形態】
【００１２】  本考案は、傘布留めホルダー１と、転倒防止ストラップ２から構成されている。
【実施例】
【００１３】  以下、添付図面に従って一実施例を説明する。傘布留めホルダー１は、木製、プラスチック製又は金属製の内径３５ｍｍ前後のリング状で、転倒防止用ストラップを有する。【００１４】  転倒防止用ストラップ２は、コイルコード・布製、皮製又は合成樹脂製等の紐状で、傘布留めホルダー１に繋がっている。
【符号の説明】
【００１５】１  傘布留めホルダー
２  転倒防止用ストラップ
【図１】
0003156439.tif 000003
【図２】
0003156439.tif 000004
【図３】
0003156439.tif 000005
【手続補正書】
【提出日】平成21年9月25日(2009.9.25)
【手続補正１】
【補正対象書類名】実用新案登録請求の範囲
【補正対象項目名】全文
【補正方法】変更
【補正の内容】
【実用新案登録請求の範囲】
【請求項１】
環状の傘布留めホルダー付き転倒防止用ストラップ。
【請求項２】
前記環状傘布留めホルダーは木・プラスチック・金属等で作られており、前記ストラップは、コイルコード・布・皮・合成樹脂等の紐で作られていることを特徴とする請求項１記載の転倒防止用ストラップ。
(57)【要約】【課題】  収納器具を使用せず、すくい部が接地面に接することなく置ける衛生的なターナーを提供する。【解決手段】  すくい部（１）握り柄部（２）突起部（４）から構成され、握り柄部先端（３）と突起部（４）の２点が接地することにより、すくい部（１）が接地面に接することがない衛生的なターナーを特徴とする。【選択図】図１
0003156475.tif 000002
【実用新案登録請求の範囲】
【請求項１】
すくい部と握り柄部との間に突起部を有し、置くときに握り柄部先端と前記突起部の２点が設置することにより、前記すくい部が直接設置面につかないことを特徴とするターナー。
【考案の詳細な説明】
【技術分野】
【０００１】この考案は、使用中のターナーをキッチンテーブル上に置くとき、突起部があることによりすくい部が直接テーブルに触れないため、受け皿などを必要とせず衛生的に使用できるターナーに関するものである。
【背景技術】
【０００２】従来、使用中のターナーを置く方法として、フライパンなどの縁にかけたままでは熱をもち素材によっては溶解してしまう原因にもなるため、熱に接しない外部に置いていた。しかし、直接キッチンテーブルに置けばすくい部が直接テーブルに接してしまい不衛生なため、受け皿などターナー以外の収納器具を必要としていた。
【考案の開示】
【考案が解決しようとする課題】
【０００３】これは、つぎのような欠点があった。
従来、使用中のターナーの置き方として、直接キッチンテーブル上に置くという方法はすくい部が直接テーブルに接して不衛生なため、別途に受け皿などの収納器具を用意する必要があり面倒であった。
本考案は、以上のような構造の欠点を失くすためになされたものである。
【課題を解決するための手段】
【０００４】本考案は上記課題を考慮し、すくい部（１）と握り柄部（２）との間に突起部（４）を設けることにより、調理中あるいは調理後にターナーを直接キッチンテーブルに置く際、握り柄部先端（３）と突起部（４）の２点が接地することによりすくい部（１）が浮く構造のため、すくい部が直接テーブルに接することなく衛生的であることを特徴とする。
このように本考案は、上記の構造的課題を解消する構造をもつターナーである。
【考案の効果】
【０００５】本考案は、すくい部と握り柄部を有するターナーにおいて、ターナーをキッチンテーブル上に置く際、すくい部と握り柄部の間に設けられた突起部と握り柄部先端の２点が接地することによりすくい部が浮く構造ため、すくい部が直接テーブルに接することなく衛生さを保つことができるという効果が得られる。
【考案を実施するための最良の形態】
【０００６】  以下、本考案を実施するための最良の形態について図１に基づいて説明する。本考案は，すくい部（１）握り柄部（２）突起部（４）から構成されるターナーである。握り柄部先端（３）と突起部（４）の２点が接地することにより、すくい部（１）が直接に接地面につくことがなく、調理中においてもターナーをキッチンテーブル上に置く際に、すくい部（１）が直接テーブルに接してしまい不衛生であるという課題を解消できる形態である。
【図面の簡単な説明】
【０００７】
【図１】  本考案の正面図及び側面図である。
【符号の説明】
【０００８】  １      すくい部
２      握り柄部
３      握り柄部先端
４      突起部
【図１】
0003156475.tif 000003